(57)【要約】      （修正有）【課題】靴と、中敷としてもサンダルとしても使用可能な中敷兼サンダルからなる履物セットを提供する。【解決手段】履物セットの靴１０のアッパー１３は、履き口１３ａに連続するヒール部１３ｄを有して、そのヒール部１３ｄは伸縮性を有して収縮状態から伸長状態へと変形可能となっている。中敷兼サンダル２０が靴内にあるときに、中敷本体２１の周縁部は、ヒール部１３ｄが収縮状態のときにアッパー１３によって弾性的に保持されてずれ動きが防止される。ヒール部１３ｄが伸長状態のときには、中敷兼サンダル２０は弾性的な保持から解消されて、靴１０の外へ取り出しやすくなっている。【選択図】図１
2019198415.tif 000002
【特許請求の範囲】
【請求項１】
靴と、中敷兼サンダルとからなり、
前記靴は、
足をのせるためのソールと、
前記ソールの周縁部から立ち上がって上縁部が履き口をなし、その履き口から挿入された足の側方から上方にかけてを覆うアッパーと、を有し、
前記中敷兼サンダルは、
足を載せる中敷本体と、
前記中敷本体の周縁部間に架け渡されて足を中敷本体上に保持するためのベルトと、を有して、
前記履き口を通じて前記靴の内外に出し入れ可能であり、前記靴内にあるときに前記靴の中敷として使用され、前記靴外にあるときにサンダルとして使用されるものであり、
前記靴のアッパーは、
かかとから履き口に至るヒール部が、その余の箇所よりも伸縮性の大きいものとなっており、
前記中敷兼サンダルが前記靴内にあるときに、
前記ヒール部の収縮状態で前記中敷本体の周縁部を弾性的に保持し、
前記ヒール部の伸長状態で前記中敷本体の周縁部を弾性的な保持から解放するようになっている、履物セット。
【請求項２】
前記靴は、
前記アッパーの外面に沿うように前記ソールの周縁部間に架け渡される、長さ調節可能なストラップを有し、
前記ストラップを縮めることで、前記アッパーを外周から締め付け可能となっている請求項１に記載の履物セット。
【請求項３】
前記中敷兼サンダルのベルトは、
前記中敷本体への取り付け端部が、その余の箇所によりも伸縮性が大きく、
前記取り付け端部の収縮状態で前記中敷本体に載せた足を外周から弾性的に保持可能となっている請求項１または２に記載の履物セット。
【請求項４】
前記中敷兼サンダルのベルトは、
前記中敷本体の爪先側に設けられる爪先ベルトと、
前記中敷本体の甲側に設けられる甲ベルトと、からなる請求項１から３のいずれかに記載の履物セット。
【発明の詳細な説明】
【技術分野】
【０００１】
本発明は、靴と、その靴の内外に出し入れ可能であり、靴内にあるときに靴の中敷として使用され、靴外にあるときにサンダルとして使用される中敷兼サンダルと、からなる履物セットに関する。
【背景技術】
【０００２】
屋外にいるときには靴を履き、屋内にいるときにはサンダルを履くことがあるが、建物への出入りのたびに靴とサンダルを履き替えるのは面倒である。
このため、特許文献１のように、靴と、その靴の内外に出し入れ可能であり、靴内にあるときは中敷として使用され、靴外にあるときはサンダルとして使用可能な中敷兼サンダルとからなる履物セットが考案されている。
【０００３】
この種の履物セットにおいては、中敷兼サンダルが中敷として使用される際には、その中敷本体の周縁部が靴内で靴のアッパーの内面に押し当たることで、靴内でのずれ動きが一定程度抑制されている。
また、中敷兼サンダルをサンダルとして使用する際には、手を用いるなどして中敷本体を撓み変形させて、その周縁部がアッパーの内面へ押し当たらないようにしたうえで、靴外へと取り出す。
【先行技術文献】
【特許文献】
【０００４】
【特許文献１】特開２００１−１４９１０３号公報
【発明の概要】
【発明が解決しようとする課題】
【０００５】
ところが、特許文献１の履物セットの中敷兼サンダルは、靴外にあるときにはサンダルとして使用されるため、その中敷本体が、中敷専用品に比べて厚みが大きく、剛性も高いものとなっている。そのため、中敷兼サンダルの中敷本体を撓ませにくく、靴外への取り出し作業がスムーズに行われない問題があった。
また、靴内に挿入するときにも、撓み変形量が不十分となり、中敷としての本来の使用位置に至る手前で、中敷本体の周縁部とアッパーの内面とが引っかかってしまい、挿入作業がスムーズに行われない問題があった。
さらに、中敷兼サンダルは、中敷として使用する場合、中敷本体の周縁部が靴のアッパーに押し当たることのみで靴内に保持されているため、靴内でのずれ動きが十分に防止されない問題もあった。
【０００６】
そこで、本願発明の解決すべき課題は、靴内にあるときに靴の中敷として使用され、靴外にあるときにサンダルとして使用可能な中敷兼サンダルを備える履物セットにおいて、中敷兼サンダルを靴の内外へ出し入れしやすいものとし、かつ中敷として使用する際に靴内でずれ動くことを抑制することである。
【課題を解決するための手段】
【０００７】
上記した課題を解決するため、本発明の履物セットは、靴と、中敷兼サンダルとからなる。前記靴は、足をのせるためのソールと、前記ソールの周縁部から立ち上がって上縁部が履き口をなし、その履き口から挿入された足の側方から上方にかけてを覆うアッパーと、を有する。前記中敷兼サンダルは、足を載せる中敷本体と、前記中敷本体の周縁部間に架け渡されて足を中敷本体上に保持するためのベルトと、を有して、前記履き口を通じて前記靴の内外に出し入れ可能であり、前記靴内にあるときに前記靴の中敷として使用され、前記靴外にあるときにサンダルとして使用されるものである。
ここで前記靴のアッパーは、足のかかとを覆い履き口に通じるヒール部が、その余の箇所よりも伸縮性の大きいものとなっており、前記中敷兼サンダルが前記靴内にあるときに、前記ヒール部の収縮状態で前記中敷本体の周縁部を弾性的に保持し、前記ヒール部の伸長状態で前記中敷本体の周縁部を弾性的な保持から解放する構成を採用したのである。
【０００８】
このように構成すると、靴のヒール部を伸長状態とすることで、靴の履き口および内部空間が広がるため、中敷兼サンダルが撓み変形しにくい場合でも、靴内に挿入することが容易となる。
中敷兼サンダルが靴内にあるときに、靴のヒール部が収縮状態に復帰すると、中敷本体の周縁部が靴のアッパーの内面に押し付けられて弾性的に保持されるため、中敷兼サンダルのずれ動きが防止される。
ここから靴のヒール部をふたたび伸長状態にすると、靴の内部空間が広がって中敷本体の周縁部が靴のアッパーによる弾性的保持から解除され、また靴の履き口も広がっているため、中敷兼サンダルを靴外に取り出すことが容易となる。
ヒール部が伸縮することで、以上のような中敷兼サンダルの靴への出し入れを、中敷兼サンダルを履いたままでおこなうことができる。
また、ヒール部は伸縮することで足の踵に程よく締まった状態でフィットするため、履き心地がよく、また長時間履いても靴ずれが起きにくい。
【０００９】
発明にかかる履物セットでは、前記靴は、前記アッパーの外面に沿うように前記ソールの周縁部間に架け渡される、長さ調節可能なストラップを有し、前記ストラップを縮めることで、前記アッパーを外周から締め付け可能となっている構成を採用することができる。
【００１０】
このように構成すると、中敷兼サンダルが靴内にあるときに、縮めたストラップによりアッパーを外周から締め付けることで、靴の内部空間を狭めて中敷兼サンダルのずれ動きを一層抑制することが可能になる。中敷兼サンダルを靴外に取り出す際には、ストラップを緩めて締め付けを解除する。
【００１１】
発明にかかる履物セットでは、前記中敷兼サンダルのベルトは、前記中敷本体への取り付け端部が、その余の箇所よりも伸縮性が大きく、前記取り付け端部の収縮状態で前記中敷本体に載せた足を外周から弾性的に保持可能となっている構成を採用することができる。
【００１２】
このように構成すると、中敷兼サンダルの中敷本体に載せられベルトに通された足が、収縮したベルトにより弾性的に保持されるため、中敷本体上でのずれ動きが防止され、これにともない中敷兼サンダルの靴内でのずれ動きが一層防止される。
【００１３】
発明にかかる履物セットでは、前記中敷兼サンダルのベルトは、前記中敷本体の爪先側に設けられる爪先ベルトと、前記中敷本体の甲側に設けられる甲ベルトと、からなる構成を採用することができる。
【００１４】
このように構成すると、中敷兼サンダルの中敷本体に載せられた足が、爪先側と甲側の前後２個所において安定的に保持されるため、前記中敷本体上でのずれ動きが防止され、これにともない中敷兼サンダルの靴内でのずれ動きが一層防止される。
【発明の効果】
【００１５】
発明にかかる履物セットを以上のように構成したので、中敷兼サンダルを、靴の内外へ出し入れすることが容易となり、また中敷として使用する際に靴内でずれ動くことを抑制できるようになった。
【図面の簡単な説明】
【００１６】
【図１】靴と中敷兼サンダルの斜視図
【図２】靴と中敷兼サンダルの断面図
【図３】履物セットを前方より見た斜視図
【図４】履物セットを後方より見た（ａ）は全体斜視図、（ｂ）は部分拡大斜視図
【図５】（ａ）履物セットの正面図、（ｂ）履物セットの平面図、（ｃ）中敷兼サンダルの出し入れ時の正面図
【図６】（ａ）履物セットの断面図、（ｂ）履物セットの断面図
【発明を実施するための形態】
【００１７】
以下、図面を参照しつつ本発明の実施形態について図説明する。
図１から図４のように、実施形態の履物セットは、靴１０と、中敷兼サンダル２０とからなる。
【００１８】
図１および図２のように、靴１０は、ソール１１と、インソール１２と、アッパー１３と、からなり、その長手方向の先端部が爪先部１０ａとなり、後端部がかかと部１０ｂとなる。
図２（ｂ）のように、爪先部１０ａとかかと部１０ｂとの間は、爪先部１０ａに近い側から順に、前足部１０ｃ、中足部１０ｄ、および後足部１０ｅとなっている。
【００１９】
図１から図４のように、ソール１１は、平面視で略楕円形状であって、前足部１０ｃの中央部よりやや後方側、および後足部１０ｅの略中央部の接地部１１ａにおいて接地するようになっている。
すなわち、図２（ｂ）のように、ソール１１の底面は、前足部１０ｃの接地部１１ａから爪先部１０ａにかけて反り上がり、その接地部１１ａから中足部１０ｄにかけても反り上がっている。同様に、後足部１０ｅの接地部１１ａから中足部１０ｄにかけて反り上がり、その接地部１１ａからかかと部１０ｂにかけても反り上がっている。
このため、前足部１０ｃの接地部１１ａと、後足部１０ｅの接地部１１ａとが共に接地している状態では、中足部１０ｄ及び、爪先部１０ａとかかと部１０ｂとが地面から浮き上がることになる。
【００２０】
また、図２（ｂ）のように、ソール１１の厚みは、爪先部１０ａから後足部１０ｅにかけて次第に厚くなり、後足部１０ｅの接地部１１ａ近傍において最大の厚みとなっている。
図１から図４のように、ソール１１の幅は、爪先部１０ａから前足部１０ｃへかけて広がり、接地部１１ａにおいて最も大きく、接地部１１ａから中足部１０ｄにかけて狭まっている。また、中足部１０ｄから後足部１０ｅの接地部１１ａにかけてソール１１の幅は広がり、接地部１１ａからかかと部１０ｂにかけてソール１１の幅は狭まっている。
【００２１】
図１および図２（ｂ）のように、平面視でソール１１とほぼ同形のインソール１２は、ソール１１の上面に接着等の適宜手段で固定されている。
インソール１２は、ソール１１よりも厚みが小さく、かつほぼ均一の厚みとなっている。
【００２２】
図１および図２（ｂ）のように、アッパー１３は、ソール１１の周縁部の全周から立ち上がり、上縁部が履き口１３ａをなしている。
履き口１３ａは、前足部１０ｃの後方側からかかと部１０ｂにかけて開口しており、その前縁が靴１０の幅方向に略直線状をなし、中足部１０ｄにかけて僅かに幅が拡がり、次いで中足部１０ｄからかかと部１０ｂにかけて、幅が狭まっている。
【００２３】
アッパー１３は、ストラップ１３ｂと、補強部１３ｃと、ヒール部１３ｄと、裏地１３ｅを有する。
【００２４】
図２（ｂ）および図３のように、アッパー１３のストラップ１３ｂは、ソール１１の周縁部間に架け渡された左右一対のストラップ本体１３ｆの、一方の先端にピンバックル１３ｇを連結し、他方に長さ方向に並列するピン孔１３ｈを設けることで構成されており、ピンバックル１３ｇのピンのピン孔１３ｈへの差込位置を変更することで、長さ調節可能となっている。ストラップ１３ｂは、一対のストラップ本体１３ｆの外端部が、それぞれソール１１とインソール１２との間に差し込まれ、接着等の適宜手段により固定されている。ストラップ１３ｂは、アッパー１３の外周に重なり合うように配置されているため、その長さを縮めることで、アッパー１３を締め付けることが可能となっている。また、ストラップ１３ｂを緩める（長くする）ことで、アッパー１３の締め付けが解除されるようになっている。
ここで、図４（ｂ）のように、ストラップ本体１３ｆとピンバックル１３ｇの間には、隠れ伸縮部１３ｉが介在している。この隠れ伸縮部１３ｉはゴム糸等から編成されたゴム帯から形成されて伸縮性を有するため、その伸縮により、ストラップ１３ｂは長さが固定された状態でも、多少の余裕が生まれるようになっている。したがって、外反母趾など足の状態に不安がある場合にも、その足を過剰に締め付けることなく、緩やかにフィットするようになっている。
図４（ａ）のように、隠れ伸縮部１３ｉはピン孔１３ｈが設けられた側のストラップ本体１３ｆが重ね合わされることで、通常の使用状態では外部からは視認できないようになっている。したがって、ストラップ１３ｂの美感が損なわれないようになっている。
【００２５】
図１から図４のように、アッパー１３の補強部１３ｃは、アッパー１３の爪先部１０ａから中足部１０ｄにかけての部位とは別体の厚みが大きく剛性の高い生地から形成されている。補強部１３ｃは、中足部１０ｄの後方からかかと部１０ｂにかけて、靴１０の左右側面に一対に設けられている。
図６のように、対向一対の補強部１３ｃは、ソール１１との境界から上方に向けて、まず互いの距離が広がり次いで互いの距離が縮まるように、外向きに湾曲して立ち上がっている。
補強部１３ｃの下端部は、ソール１１と、インソール１２との間に差し込まれ、接着等により固定されている。
【００２６】
図２（ｂ）のように、アッパー１３のヒール部１３ｄは、左右一対の補強部１３ｃの間に位置し、爪先部１０ａから中足部１０ｄにかけての部位および補強部１３ｃとは別体に形成されている。
ヒール部１３ｄは、ゴム糸等から編成されてなるゴム帯からなって、爪先部１０ａから中足部１０ｄにかけての部位および補強部１３ｃよりも伸縮性が大きくなっている。  ヒール部１３ｄは、その下端部がソール１１とインソール１２との間に差し込まれ、接着等の適宜手段により固定されている。
ヒール部１３ｄは、ソール１１との境界から上方に向けて幅が次第に広がっており、履き口１３ａの縁部にまで達している。
【００２７】
ヒール部１３ｄは常態においては収縮状態となり、その幅が狭くなっており、手で押し広げるなどすると伸長状態となって、その幅が広くなる。
したがって、ヒール部１３ｄの収縮状態で履き口１３ａおよび靴１０の内部空間は狭くなり、伸長状態で履き口１３ａおよび靴１０の内部空間は広くなる。
ここで、ヒール部１３ｄのゴム帯の伸縮特性は、靴１０の左右方向に伸縮量が大きく、上下方向に伸縮量が小さいものとなっている。このため、ヒール部１３ｄの伸長状態において左右の補強部１３ｃに上下の位置ずれが生じないようになっている。
【００２８】
図１から図４のように、アッパー１３の裏地１３ｅは、一対の補強部１３ｃおよびヒール部１３ｄの内面に重ね合わされ、接着等の適宜手段により固定されている。
裏地１３ｅは、ヒール部１３ｄと対応する箇所の上縁部が略台形状に切り欠かれている。このため、ヒール部１３ｄの下半部は裏地１３ｅと重なり合い、上半部は裏地１３ｅと重なり合っていない。
裏地１３ｅは、伸縮性の劣る生地から形成されているため、ヒール部１３ｄは、その下半部の伸縮が一定程度制約されている。
【００２９】
中敷兼サンダル２０は、履き口１３ａを通じて、靴１０の内外に出し入れ可能となっており、靴内にあるときには、中敷として使用され、靴外にあるときには、サンダルとして使用されるようになっている。
【００３０】
図１および図２のように、中敷兼サンダル２０は、中敷本体２１と、ベルト２２とからなる。
中敷兼サンダル２０の長手方向の先端部は、爪先部２０ａとなり、後端部はかかと部２０ｂとなる。爪先部２０ａとかかと部２０ｂとの間は、爪先部２０ａに近い側から順に、前足部２０ｃ、中足部２０ｄ、および後足部２０ｅとなっている。
【００３１】
図２（ａ）のように、中敷本体２１は、下から順に、底部２１ａ、クッション部２１ｂ、および表布２１ｃの三層の生地が重なり合って形成されている。図５（ａ）のように、中敷兼サンダル２０が中敷として使用される時には、靴１０内に挿入された足は中敷本体２１の上面に載せられることになる。
【００３２】
中敷本体２１の底部２１ａは、平面視で略楕円形状であってその厚みは靴１０のソール１１の厚みより薄くなっている。
底部２１ａの幅は、爪先部２０ａから前足部２０ｃへかけて広がり、中足部２０ｄへかけて細くなっている。さらに、中足部２０ｄから後足部２０ｅにかけて幅はやや広がり、かかと部２０ｂにかけて幅は狭まっている。
【００３３】
中敷兼サンダル２０がサンダルとして使用されるときには、底部２１ａは、前足部２０ｃのやや後方側、および後足部２０ｅの後端部に位置する接地部２１ｄにおいて、接地する。
すなわち、図２（ａ）のように、底部２１ａについては、接地部２１ｄから爪先部２０ａにかけて反り上がり、接地部２１ｄから中足部２０ｄにかけても反り上がっている。後足部２０ｅでは、接地部２１ｄから中足部２０ｄにかけて反り上がっている。このため、前足部２０ｃの接地部２１ｄと、後足部２０ｅの接地部２１ｄとが共に接地している状態では、爪先部２０ａ、および中足部２０ｄから後足部２０ｅの中央近傍にかけてが、地面から浮き上がることになる。
【００３４】
クッション部２１ｂは、平面視で底部２１ａとほぼ同形であり、底部２１ａの上面に重ね合わされ、接着等の適宜手段により固定されている。
図１および図２のように、クッション部２１ｂの厚みは、底部２１ａの厚みより厚く、ソール１１の厚みより薄くなっている。
クッション部２１ｂは、中足部２０ｄからかかと部２０ｂにかけての周縁部が、中敷本体２１に乗せられる足裏の形状に合致するように、立ち上がっている。
中敷兼サンダル２０が靴内にあって、ヒール部１３ｄが収縮状態のときには、中敷本体２１の周縁部がアッパー１３の内面に弾性的に押し付けられる。これにより、中敷兼サンダル２０が靴内でずれ動かないようになっている。
【００３５】
図１のように、表布２１ｃは、クッション部２１ｂに重ね合わされ、接着等の適宜手段により固定されている。平面視でクッション部２１ｂおよび底部２１ａとほぼ相似形であるが、ひとまわり小さく、中敷本体２１の上面には、表布２１ｃの周縁にクッション部２１ｂが露出している。
【００３６】
図１、図２（ａ）、および図５（ａ）のように、ベルト２２は、中敷本体２１の左右側面間に架け渡され、足を中敷本体２１上に保持可能となっている。ベルト２２は、爪先側の爪先ベルト２２ａと、甲側の甲ベルト２２ｃとからなる。
【００３７】
図１および図２（ａ）のように、爪先ベルト２２ａは前足部２０ｃ上に位置し、その両端部が、底部２１ａとクッション部２１ｂとの間に差し込まれて、接着等の適宜手段により、中敷本体２１に固定されている。
爪先ベルト２２ａは、中敷本体２１の左右の側面のうち、足の内側（幅方向の親指側）に相当する側面への取り付け端部２２ｂが、ゴム糸等から編成されたゴム帯から形成されている。取り付け端部２２ｂは、爪先ベルト２２ａのその余の箇所よりも伸縮性が大きくなっている。
そのため、中敷本体上で爪先ベルト２２ａに足の爪先を通すと、取り付け端部２２ｂの収縮作用により足が弾性的に保持され、ずれ動かないように位置決めされる。
図３および図４のように、中敷兼サンダル２０が中敷として使用される際には、爪先ベルト２２ａは、その前半部がアッパー１３の内面に重ね合わされ、後半部が履き口１３ａから露出するようになっている。
【００３８】
図１および図２（ａ）のように、環状の甲ベルト２２ｃは中足部２０ｄ上に位置し、その一部が、底部２１ａとクッション部２１ｂとの間に差し込まれて、接着等の適宜手段により、中敷本体２１に固定されている。甲ベルト２２ｃの幅は、爪先ベルト２２ａの幅より小さくなっている。
甲ベルト２２ｃの底部２１ａとクッション部２１ｂに挟み込まれた箇所は、ゴム糸等から編成されたゴム帯から形成されており、中敷本体２１の左右の側面への取り付け端部２２ｄとして、上記ゴム糸等からなるゴム帯が底部２１ａとクッション部２１ｂの間から露出している。取り付け端部２２ｄは、甲ベルト２２ｃのその余の箇所よりも伸縮性が大きくなっている。
そのため、中敷本体２１上で甲ベルト２２ｃに足の甲を通すと、取り付け端部２２ｄの収縮作用により足は弾性的に保持され、ずれ動かないように位置決めされる。
また、甲ベルト２２ｃは、図５（ｃ）の二点鎖線で示すように、足の踵に斜め掛けすることも可能な、２ＷＡＹ仕様となっている。
図３および図４のように、中敷兼サンダル２０が中敷として使用される際には、甲ベルト２２ｃは、ほぼその全体が履き口１３ａから突出するようになっている。
【００３９】
実施形態の履物セットの構成は以上のようであり、中敷兼サンダル２０は、中敷として使用する際には、靴１０の履き口１３ａから内部へ挿入する。
図６（ａ）のように、ヒール部が収縮状態にあるとき、中敷本体２１は、その周縁部がアッパー１３の内面に弾性的に押し付けられて保持される。そのため、中敷兼サンダル２０は、靴１０内でずれ動きにくくなる。
同時に、ストラップ１３ｂを縮めることで、アッパー１３を外周から締め付け、靴１０の内部空間を狭めておくと、靴１０内の中敷兼サンダル２０のずれ動きが一層抑制されることになる。
なお、対向一対の補強部１３ｃ間の距離は、履き口１３ａに向けて狭まっているため、中敷兼サンダル２０を、靴１０の上方へ引き出そうとすると、中敷本体２１のクッション部２１ｂの周縁部が、アッパー１３の内面に突き当たるため、取り出しにくくもなっている。
【００４０】
中敷兼サンダル２０を、サンダルとして使用する際には、靴１０の履き口１３ａを通じて外部に取り出す。
その場合には、まず図５（ｂ）および図６（ｂ）のように、ヒール部１３ｄを伸長させて、靴１０の内部空間および履き口１３ａを広げたうえで取り出し作業をおこなう。このとき、中敷本体２１の周縁部は、アッパー１３の内面から離間して弾性的な保持から解放されているため、取り出し作業の障害とはならない。
図５（ｃ）のように、靴１０内に挿入された足を中敷兼サンダル２０を履いた状態のままで靴外へと引き抜くことが可能となっている。
【００４１】
中敷兼サンダル２０の靴１０に対する出し入れは、中敷兼サンダル２０を足に履いたままでおこなうことができる。
すなわち、足に履かれた中敷兼サンダル２０を靴１０から取り出す際には、足の踵が持ち上げられることで、靴１０のヒール部１３ｄが踵の押圧により伸長して、その伸長状態のまま履き口１３ａを中敷兼サンダル２０が通過する。
また、足に履かれた中敷兼サンダル２０を靴１０に挿入する際には、足の爪先とともに中敷兼サンダル２０の爪先部２０ａが履き口１３ａから挿入された後に、足の踵とともに中敷兼サンダル２０のかかと部２０ｂが靴１０のヒール部１３ｄに向けて押し下げられる。その押圧によりヒール部１３ｄが伸長して、その伸長状態のまま履き口１３ａをかかと部２０ｂが通過する。
中敷兼サンダル２０の出し入れいずれの場合も、中敷兼サンダル２０が履き口１３ａを通過した後は、靴１０のヒール部１３ｄは押圧から解放されて収縮状態に復帰する。
甲ベルト２２ｃがあることで、中敷兼サンダル２０が足にしっかりと保持されるため、靴１０に出し入れする際に、足から脱げてしまうことが防止されている。
【００４２】
サンダルとして使用されていた中敷兼サンダル２０を、再度中敷として使用する際には、ヒール部１３ｄを伸長させて、靴１０の内部空間および履き口１３ａを拡げたうえで、挿入作業をおこなう。
このようにすると、中敷兼サンダル２０がアッパー１３の内面とひっかかりにくくなり、作業がスムーズに行われる。挿入作業が終わると、ヒール部１３ｄは収縮状態に復帰し、中敷兼サンダル２０は、ふたたびアッパー１３に弾性的に保持されることになる。
【００４３】
今回開示された実施形態はすべての点で例示であって制限的なものではない。本発明の範囲は特許請求の範囲によって示され、特許請求の範囲内およびこれと均等の意味でのすべての修正と変形を含む。
【００４４】
靴１０や中敷兼サンダル２０の形状は、実施形態に限定されず、たとえば靴１０としてブーツタイプのものにも本発明は適用可能である。
靴１０のヒール部１３ｄの形状も実施形態に限定されず、たとえばソール１１との境界から履き口１３ａにかけてその幅を均一としてもよい。また、ヒール部１３ｄの素材も実施形態のゴム帯に限定されず、伸縮性を有する素材であればよい。
【００４５】
中敷兼サンダル２０のベルト２２の形状および数は実施形態に限定されない。
すなわち、爪先ベルト２２ａを実施形態のような先端が開口したタイプのものではなく、先端が閉塞したタイプのものとしてもよい。
またベルト２２を実施形態のような爪先ベルト２２ａと甲ベルト２２ｃからなるものではなく、単一のものとしてもよい。
また実施形態では、爪先ベルト２２ａおよび甲ベルト２２ｃは、両端部のうち一端部の取り付け端部２２ｂ、２２ｄが伸縮性を有するものとしているが、両端部ともに伸縮性を有するものとしてもよい。
【００４６】
ストラップ１３ｂの長さ調節機構は、実施形態のストラップ本体とピンバックルからなるものに限定されず、たとえば一対のストラップ本体に面ファスナーを取り付け、その雌雄の嵌合位置を調整することで長さ調節可能に構成してもよい。
【符号の説明】
【００４７】
１０  靴
１０ａ  爪先部
１０ｂ  かかと部
１０ｃ  前足部
１０ｄ  中足部
１０ｅ  後足部
１１  ソール
１１ａ  接地部
１２  インソール
１３  アッパー
１３ａ  履き口
１３ｂ  ストラップ
１３ｃ  補強部
１３ｄ  ヒール部
１３ｅ  裏地
１３ｆ  ストラップ本体
１３ｇ  ピンバックル
１３ｈ  ピン孔
１３ｉ  隠れ伸縮部
２０  中敷兼サンダル
２０ａ  爪先部
２０ｂ  かかと部
２０ｃ  前足部
２０ｄ  中足部
２０ｅ  後足部
２１  中敷本体
２１ａ  底部
２１ｂ  クッション部
２１ｃ  表布
２１ｄ  接地部
２２  ベルト
２２ａ  爪先ベルト
２２ｂ  取り付け端部
２２ｃ  甲ベルト
２２ｄ  取り付け端部
【図１】
2019198415.tif 000003
【図２】
2019198415.tif 000004
【図３】
2019198415.tif 000005
【図４】
2019198415.tif 000006
【図５】
2019198415.tif 000007
【図６】
2019198415.tif 000008